Podtech/llm-jp-corpus-v4-ja_patent huggingface dataset:
【手続補正書】
【提出日】令和2年12月23日(2020.12.23)
【手続補正１】
【補正対象書類名】特許請求の範囲
【補正対象項目名】全文
【補正方法】変更
【補正の内容】
【特許請求の範囲】
【請求項１】
車両に取り付け可能なデジタル・ライセンス・プレートを備え、前記デジタル・ライセンス・プレートは、ディスプレイを有し、かつデータを送受信するように接続可能であり、
前記データは、駐車関連の施設、メータ、および罰金システムのうちの少なくとも１つに送信可能であり、さらに
データは、支払い機関に送信可能である、車両駐車支払いシステム。
【請求項２】
前記デジタル・ライセンス・プレートは、データを送受信するユーザ・デバイスに接続可能である、請求項１に記載の車両駐車支払いシステム。
【請求項３】
前記デジタル・ライセンス・プレートは、データを送受信するユーザ・デバイスに接続可能であり、前記ユーザ・デバイスは、前記デジタル・ライセンス・プレートから受信されたデータに応答して前記支払い機関に支払いデータを送信する、請求項１に記載の車両駐車支払いシステム。
【請求項４】
前記デジタル・ライセンス・プレートは、接続されたユーザ・デバイスから駐車と関連するデータを受信する、請求項１に記載の車両駐車支払いシステム。
【請求項５】
デジタル・ライセンス・プレートの前記ディスプレイは、駐車関連の情報を提供する、請求項１に記載の車両駐車支払いシステム。
【請求項６】
デジタル・ライセンス・プレートの前記ディスプレイは、指定された職員からの通信に応答して駐車関連の情報を提供する、請求項１に記載の車両駐車支払いシステム。
【請求項７】
デジタル・ライセンス・プレートの前記ディスプレイは、法執行官、警察、メータ読取り者、および緊急隊員のうちの少なくとも１つであるように選択される指定された職員からの通信に応答して駐車関連の情報を提供する、請求項１に記載の車両駐車支払いシステム。
【請求項８】
デジタル・ライセンス・プレートの前記ディスプレイは、電子的に読取り可能な情報を提示する、請求項１に記載の車両駐車支払いシステム。
【請求項９】
デジタル・ライセンス・プレートの前記ディスプレイは、電子的に読取り可能なバー・コードを提示する、請求項１に記載の車両駐車支払いシステム。
【請求項１０】
デジタル・ライセンス・プレートの前記ディスプレイは、電子的に読取り可能なＱＲコードを提示する、請求項１に記載の車両駐車支払いシステム。
【請求項１１】
デジタル・ライセンス・プレートの前記ディスプレイは、視覚的に認識可能な駐車ステッカまたは駐車タグを提示する、請求項１に記載の車両駐車支払いシステム。
【請求項１２】
デジタル・ライセンス・プレートの前記ディスプレイは、視覚的に認識可能な広告をさらに提示する、請求項１に記載の車両駐車支払いシステム。
【請求項１３】
デジタル・ライセンス・プレートの前記ディスプレイは、双安定ディスプレイである、請求項１に記載の車両駐車支払いシステム。
【請求項１４】
前記デジタル・ライセンス・プレートは、許された駐車時間を延長する自動支払いの継続を提供することが可能である、請求項１に記載の車両駐車支払いシステム。
【請求項１５】
前記デジタル・ライセンス・プレートは、ユーザ・デバイスに駐車関連の情報をローカルで提供する、請求項１に記載の車両駐車支払いシステム。
【手続補正書】
【提出日】令和2年12月28日(2020.12.28)
【手続補正１】
【補正対象書類名】特許請求の範囲
【補正対象項目名】全文
【補正方法】変更
【補正の内容】
【特許請求の範囲】
【請求項１】
プロセッサによって、クラウド・コンピューティング環境内の熱エネルギー流体移送システムにおけるエネルギーを評価するための方法であって、
加熱サービス、冷却サービス、またはそれらの組合せに関連付けられた前記熱エネルギー流体移送システムの挙動を、収集データに従って学習して、１つまたは複数のエネルギー利用イベントを識別することと、
前記学習された挙動に従って、１つまたは複数のタイプのイベントについて、前記熱エネルギー流体移送システムにおける１つまたは複数の選択された位置に配置された１つまたは複数の非侵入型モノのインターネット（ＩｏＴ）センサによって選択された期間にわたって収集された温度信号に曖昧性除去動作を適用することによって、エネルギー利用評価を実行して、１つまたは複数のエネルギー利用浪費イベントを識別することと、
を含む、方法。
【請求項２】
前記曖昧性除去動作は、
前記温度信号を前記１つまたは複数のタイプのイベントに分けることと、
前記温度信号を分析して、前記１つまたは複数のタイプのイベントについてシグネチャを得ることと、
を更を含む、請求項１に記載の方法。
【請求項３】
前記収集データに従って１つまたは複数のエネルギー利用調整閾値を生成すること、あるいは、
前記１つまたは複数の非侵入型ＩｏＴセンサによって前記選択された期間にわたって継続的に温度データをサンプリングすること、
を更に含む、請求項１に記載の方法。
【請求項４】
１つまたは複数の現在のエネルギー利用イベントの前記温度信号を１つまたは複数のエネルギー利用調整閾値と比較して、前記１つまたは複数のエネルギー利用浪費イベントを識別することを更に含む、請求項１に記載の方法。
【請求項５】
前記１つまたは複数の非侵入型ＩｏＴセンサからのフィードバック情報を用いて機械学習メカニズムを初期化して、前記熱エネルギー流体移送システムのエネルギー利用プロファイルを提供することを更に含む、請求項１に記載の方法。
【請求項６】
動作のスケジュールについて、熱エネルギー流体移送システム開始時間および熱エネルギー流体移送システム停止時間を特定して、前記１つまたは複数のエネルギー利用浪費イベントを識別することと、
前記動作のスケジュール中のエネルギー要求イベントおよび非エネルギー要求イベントを推定することと、
前記動作のスケジュール中の予期されない変化点を特定することであって、変化点は、前記エネルギー要求イベントから前記非エネルギー要求イベントへの遷移である、前記特定することと、
を更に含む、請求項１に記載の方法。
【請求項７】
前記１つまたは複数のエネルギー利用浪費イベントの識別情報を示すアラートを提供することと、
前記エネルギー利用評価を、前記熱エネルギー流体移送システムのためのインタラクティブ・グラフィカル・ユーザ・インタフェース（ＧＵＩ）を介してユーザに提供することと、
を更に含む、請求項１に記載の方法。
【請求項８】
クラウド・コンピューティング環境内の熱エネルギー流体移送システムにおけるエネルギーを評価するためのシステムであって、
実行可能命令を有する１つまたは複数のコンピュータを備え、前記命令は、実行されると、前記システムに、
加熱サービス、冷却サービス、またはそれらの組合せに関連付けられた前記熱エネルギー流体移送システムの挙動を、収集データに従って学習して、１つまたは複数のエネルギー利用イベントを識別することと、
前記学習された挙動に従って、１つまたは複数のタイプのイベントについて、前記熱エネルギー流体移送システムにおける１つまたは複数の選択された位置に配置された１つまたは複数の非侵入型モノのインターネット（ＩｏＴ）センサによって選択された期間にわたって収集された温度信号に曖昧性除去動作を適用することによって、エネルギー利用評価を実行して、１つまたは複数のエネルギー利用浪費イベントを識別することと、
を行わせる、システム。
【請求項９】
プロセッサに、
加熱サービス、冷却サービス、またはそれらの組合せに関連付けられた前記熱エネルギー流体移送システムの挙動を、収集データに従って学習して、１つまたは複数のエネルギー利用イベントを識別することと、
前記学習された挙動に従って、１つまたは複数のタイプのイベントについて、前記熱エネルギー流体移送システムにおける１つまたは複数の選択された位置に配置された１つまたは複数の非侵入型モノのインターネット（ＩｏＴ）センサによって選択された期間にわたって収集された温度信号に曖昧性除去動作を適用することによって、エネルギー利用評価を実行して、１つまたは複数のエネルギー利用浪費イベントを識別することと、
を実行させるためのコンピュータ・プログラム。
【手続補正書】
【提出日】令和3年8月23日(2021.8.23)
【手続補正１】
【補正対象書類名】特許請求の範囲
【補正対象項目名】全文
【補正方法】変更
【補正の内容】
【特許請求の範囲】
【請求項１】
光エンジンと、
投影レンズと、
前記光エンジンから前記投影レンズまでの光路沿いにある空間光変調器であって、複数のピクセルを含む第１のデジタルマイクロミラーデバイスである、空間光変調器と、
前記空間光変調器と前記投影レンズとの間の前記光路沿いにある少なくとも１つの操向可能ミラーであって、複数の個々に操向可能なマイクロミラーを有する第２のデジタルマイクロミラーデバイスを含む、少なくとも１つの操向可能ミラーと、
前記空間光変調器と前記第２のデジタルマイクロミラーデバイスとの間に配置された結像レンズであって、それぞれのマイクロミラーの上に各ピクセルを結像するように構成された、結像レンズと
を備えたディスプレイデバイス。
【請求項２】
スクリーンをさらに備え、前記投影レンズは、変調された光を前記スクリーンの上に投影するように構成され、前記スクリーンは、
レンチキュラシートレイヤと、
光発散レイヤと
を含む請求項１に記載のディスプレイデバイス。
【請求項３】
光源から光を空間光変調器へと向けるステップと、
少なくとも１つの操向可能ミラーが、第１の位置にある間に、（ｉ）前記空間光変調器を用いて前記光を変調して、第１の変調光パターンを生成し、前記空間光変調器は複数のピクセルを含んでおり、（ｉｉ）前記第１の変調光パターンを前記少なくとも１つの操向可能ミラーから投影レンズに向かって反射させるステップと、
前記少なくとも１つの操向可能ミラーが、第２の位置にある間に、（ｉ）前記空間光変調器を用いて前記光を変調して、第２の変調光パターンを生成し、（ｉｉ）前記第２の変調光パターンを前記少なくとも１つの操向可能ミラーから前記投影レンズに向かって反射させるステップと、
前記第１の変調光パターンおよび前記第２の変調光パターンを前記投影レンズから投影するステップと
を備える方法であって、
前記少なくとも１つの操向可能ミラーは複数の個々に操向可能なマイクロミラーを有するデジタルマイクロミラーデバイスを含み、
前記方法は、前記第１の位置および前記第２の位置を含む複数の位置にわたって前記マイクロミラーを傾けるステップをさらに備え、
前記方法は、結像レンズを用いて、各ピクセルをそれぞれのマイクロミラー上に結像させるステップをさらに備える
る方法。
【請求項４】
前記第１の変調光パターンおよび前記第２の変調光パターンを投影するステップは、前記第１の変調光パターンおよび前記第２の変調光パターンをスクリーン上に投影するステップを含む請求項３に記載の方法。
【請求項５】
前記第１の位置および前記第２の位置を含む複数の位置にわたって前記少なくとも１つの操向可能ミラーを循環させるステップをさらに備える請求項３または４に記載の方法。
【請求項６】
前記循環させるステップは、少なくとも６０Ｈｚで実行される請求項５に記載の方法。
【手続補正書】
【提出日】令和3年8月24日(2021.8.24)
【手続補正１】
【補正対象書類名】特許請求の範囲
【補正対象項目名】全文
【補正方法】変更
【補正の内容】
【特許請求の範囲】
【請求項１】
使用者による前方および後方の両方の視認のために構成された眼鏡レンズ要素（１０）であって、
前記使用者の両目の前、上、間および下ならびに前記使用者の両目の側部から横に前記使用者の頭の概略側部までの距離に延在する少なくとも一つの曲線状の透明部分（１３）と、
前記眼鏡レンズ要素（１０）の端部（１２）に配置され、前記曲線状の透明部分の凸面側から外に突き出た収納部（１１）を含み、前記収納部の１つの側は、前記使用者の視線を内部へ直接向けるように解放されており、更に、
前記曲線状の透明部分から外にずれた位置において、前記収納部に配置されたミラー（１５）を含む眼鏡レンズ要素。
【請求項２】
前記収納部は、前記眼鏡レンズ要素の表面に対して前記ミラーを１ｃｍまでずらす分の距離だけ突出し、後方視認のために必要な視界の深さを提供する、請求項１による眼鏡レンズ要素（１０）。
【請求項３】
前記曲線状の透明部分の横に延在した部分の一つまたは両方の側端に配置された一つまたは二つの前記収納部を有する、請求項１による眼鏡レンズ要素（１０）。
【請求項４】
前記曲線状の透明部分は実質的に回転楕円面状にカーブしている、請求項１による眼鏡レンズ要素（１０）。
【請求項５】
前記曲線状の透明部分と前記収納部とは一つの一体化したユニットである、請求項１による眼鏡レンズ要素（１０）。
【請求項６】
前記ミラーは前記曲線状の透明部分の湾曲面に対して角度をもって前記収納部に配置される、請求項１による眼鏡レンズ要素（１０）。
【請求項７】
前記曲線状の透明部分は対称軸を有し、前記ミラーは対称軸に対して実質的に垂直になるように前記収納部に配置される、請求項６による眼鏡レンズ要素（１０）。
【請求項８】
前記収納部に配置され、前記ミラー（１５）を前記収納部（１１）に調節可能に接続する角度調節機構（１６）を含む、請求項１による眼鏡レンズ要素。
【請求項９】
前記眼鏡レンズ要素の外面に対して、前記角度調節機構と組み合わせて、前記ミラーを１-２ｃｍずらす分の距離だけ前記収納部が突出し、後方視認のために必要な視界の深さを提供する、請求項８による眼鏡レンズ要素。
【請求項１０】
前記眼鏡レンズ要素は頭部に保持する手段に適合しており、前記眼鏡レンズ要素は前記使用者の両目の前に所定の空間距離をおいて中央に配置される、請求項１〜９のいずれか一項に記載の眼鏡レンズ要素を含む眼鏡。
【手続補正書】
【提出日】令和3年1月6日(2021.1.6)
【手続補正１】
【補正対象書類名】特許請求の範囲
【補正対象項目名】全文
【補正方法】変更
【補正の内容】
【特許請求の範囲】
【請求項１】
２段階認証のための方法であって、前記方法は、
クライアントにより、アプリケーション・プログラミング・インターフェース（ＡＰＩ）を介して、ユーザ識別子及びパスワードをサーバに伝送することと、
前記サーバとの認証セッションを確立することであって、前記クライアントは前記ＡＰＩと関連した動作に対する第１のセットのパーミッションを有する、確立することと、
前記サーバによる前記ユーザ識別子及びパスワードの検証に応答して、ログオン応答及び共有シークレットを受け取ることと、
前記クライアントにより、前記共有シークレットに基づいてワンタイム・パスコード（ＯＴＰ）を生成することと、
前記ＡＰＩを介して前記ＯＴＰを前記サーバに送ることと、
前記サーバが前記共有シークレットに対して前記ＯＴＰを検証することに応答して、前記ＡＰＩと関連した動作に対する第２のセットのパーミッションを与えることと、
を含む、方法。
【請求項２】
前記クライアント・デバイスにより、ユーザから、前記ユーザ識別子及びパスワードを受け取ることをさらに含む、請求項１に記載の方法。
【請求項３】
前記ログオン応答及び共有シークレットを受け取ることは、前記ユーザ識別子と関連したユーザが、１要素認証から２要素認証へアップグレードするように指定されるとの判断に応答する、請求項１又は２に記載の方法。
【請求項４】
前記クライアントにより、前記共有シークレットを、ユーザと関連したクライアント・プリファレンス内に格納することをさらに含む、請求項１乃至３のいずれかに記載の方法。
【請求項５】
前記サーバは、前記共有シークレットを、ユーザと関連したユーザ・プロファイル内に格納するように構成される、請求項１乃至４のいずれかに記載の方法。
【請求項６】
前記ＡＰＩは、Ｒｅｐｒｅｓｅｎｔａｔｉｏｎａｌ  ｓｔａｔｅ  ｔｒａｎｓｆｅｒ（ＲＥＳＴ）ＡＰＩを含む、請求項１乃至５のいずれかに記載の方法。
【請求項７】
前記第２のセットのパーミッションは、前記第１のセットのパーミッションを上回る、請求項１乃至６のいずれかに記載の方法。
【請求項８】
後のログオン動作において、前記ユーザＩＤ、前記パスワード、及び前記共有シークレットに基づいて生成された現在のＯＴＰを前記サーバに伝送することをさらに含む、請求項１乃至７のいずれかに記載の方法。
【請求項９】
コンピュータ可読媒体上に格納されかつデジタル・コンピュータの内部メモリにロード可能なコンピュータ・プログラムであって、前記プログラムがコンピュータ上で実行されるとき、請求項１乃至８のいずれかに記載の方法を実行するためのソフトウェア・コード部分を含む、コンピュータ・プログラム。
【請求項１０】
１つ又は複数のプロセッサと、１つ又は複数のコンピュータ可読メモリと、１つ又は複数のコンピュータ可読ストレージ・デバイスと、前記１つ又は複数のメモリの少なくとも１つを介して前記１つ又は複数のプロセッサの少なくとも１つにより実行される、前記１つ又は複数のストレージ・デバイスの少なくとも１つに格納されるプログラム命令とを含むコンピュータ・システムであって、前記格納されるプログラム命令は、
クライアントにより、アプリケーション・プログラミング・インターフェース（ＡＰＩ）を介して、ユーザ識別子及びパスワードをサーバに伝送するためのプログラム命令と、
前記サーバとの認証セッションを確立するためのプログラム命令であって、前記クライアントは前記ＡＰＩと関連した動作に対する第１のセットのパーミッションを有する、確立するためのプログラム命令と、
前記サーバによる前記ユーザ識別子及びパスワードの検証に応答して、ログオン応答及び共有シークレットを受け取るためのプログラム命令と、
前記クライアントにより、前記共有シークレットに基づいてワンタイム・パスコード（ＯＴＰ）を生成するためのプログラム命令と、
前記ＡＰＩを介して前記ＯＴＰを前記サーバに送るためのプログラム命令と、
前記サーバが前記共有シークレットに対して前記ＯＴＰを検証することに応答して、前記ＡＰＩと関連した動作に対する第２のセットのパーミッションを与えるためのプログラム命令と、
を含む、コンピュータ・システム。
【手続補正書】
【提出日】令和3年8月23日(2021.8.23)
【手続補正１】
【補正対象書類名】特許請求の範囲
【補正対象項目名】全文
【補正方法】変更
【補正の内容】
【特許請求の範囲】
【請求項１】
個体における消化器の神経内分泌腫瘍（ＮＥＴ）の処置に使用するための、トロポミオシン受容体キナーゼ（Ｔｒｋ）タンパク質を阻害する薬剤であって、前記消化器のＮＥＴは、Ｔｒｋ融合タンパク質に関係し、前記Ｔｒｋ融合タンパク質は、
（ａ）ＴｒｋＡ、ＴｒｋＢ、またはＴｒｋＣポリペプチド以外のポリペプチドの配列を含む、Ｎ末端ポリペプチド領域と、
（ｂ）ＴｒｋＡ、ＴｒｋＢ、またはＴｒｋＣポリペプチドの配列を含むＣ末端ポリペプチド領域であって、ここで、前記Ｃ末端ポリペプチド領域は、ＴｒｋＡ、ＴｒｋＢ、またはＴｒｋＣキナーゼ活性を有する、Ｃ末端ポリペプチド領域と、
を含む、
薬剤。
【請求項２】
前記Ｔｒｋ融合タンパク質が、ＴｒｋＡ、ＴｒｋＢ、またはＴｒｋＣチロシンキナーゼシグナル伝達ドメインを含み、および、前記Ｔｒｋ融合タンパク質が構成的に活性である、請求項１に記載の薬剤。
【請求項３】
前記Ｎ末端ポリペプチド領域は、ＭＰＲＩＰ、ＣＤ７４、ＲＡＢＧＡＰ１Ｌ、ＴＰＭ３、ＴＰＲ、ＴＦＧ、ＰＰＬ、ＣＨＴＯＰ、ＡＲＨＧＥＦ２、ＮＦＡＳＣ、ＢＣＡＮ、ＬＭＮＡ、ＴＰ５３、ＱＫＩ、ＮＡＣＣ２、ＶＣＬ、ＡＧＢＬ４、ＴＲＩＭ２４、ＰＡＮ３、ＡＦＡＰ１、ＳＱＳＴＭ１、ＥＴＶ６、ＢＴＢＤ１、ＬＹＮ、ＲＢＰＭＳ、ＲＦＷＤ２、ＩＲＦ２ＢＰ２、ＳＳＢＰ２、Ｃ１８ＯＲＦ８、ＲＮＦ２１３、ＴＢＣ１、ＤＮＥＲ、ＰＬＥＫＨＡ６、ＰＥＡＲ１、ＭＲＰＬ２４、ＭＤＭ４、ＧＲＩＰＡＰ１、ＥＰＳ１５、ＤＹＮＣ２Ｈ１、ＣＥＬ、ＥＰＨＢ２、ＥＭＬ４、ＨＯＭＥＲ２、ＴＥＬ、およびＦＡＴ１ポリペプチドからなる群から選択される配列を含む、請求項１または２に記載の薬剤。
【請求項４】
前記Ｎ末端ポリペプチド領域がＥＴＶ６ポリペプチドからの配列を含む、請求項３に記載の薬剤。
【請求項５】
前記Ｃ末端ポリペプチド領域はＴｒｋＡポリペプチドの配列を含み、および、
前記Ｔｒｋ融合タンパク質は、ＴＰ５３−ＴｒｋＡ、ＬＭＮＡ−ＴｒｋＡ、ＣＤ７４−ＴｒｋＡ、ＴＦＧ−ＴｒｋＡ、ＴＰＭ３−ＴｒｋＡ、ＮＦＡＳＣ−ＴｒｋＡ、ＢＣＡＮ−ＴｒｋＡ、ＭＰＲＩＰ−ＴｒｋＡ、ＴＰＲ−ＴｒｋＡ、ＲＦＷＤ２−ＴｒｋＡ、ＩＲＦ２ＢＰ２−ＴｒｋＡ、ＳＱＳＴＭ１−ＴｒｋＡ、ＳＳＢＰ２−ＴｒｋＡ、ＲＡＢＧＡＰ１Ｌ−ＴｒｋＡ、Ｃ１８ＯＲＦ８−ＴｒｋＡ、ＲＮＦ２１３−ＴｒｋＡ、ＴＢＣ１Ｄ２２Ａ−ＴｒｋＡ、Ｃ２００ＲＦ１１２−ＴｒｋＡ、ＤＮＥＲ−ＴｒｋＡ、ＡＲＨＧＥＦ２−ＴｒｋＡ、ＣＨＴＯＰ−ＴｒｋＡ、ＰＰＬ−ＴｒｋＡ、ＰＬＥＫＨＡ６−ＴｒｋＡ、ＰＥＡＲ１−ＴｒｋＡ、ＭＲＰＬ２４−ＴｒｋＡ、ＭＤＭ４−ＴｒｋＡ、ＬＲＲＣ７１−ＴｒｋＡ、ＧＲＩＰＡＰ１−ＴｒｋＡ、ＥＰＳ１５−ＴｒｋＡ、ＤＹＮＣ２Ｈ１−ＴｒｋＡ、ＣＥＬ−ＴｒｋＡ、ＥＰＨＢ２−ＴｒｋＡ、またはＴＧＦ−ＴｒｋＡ融合タンパク質である、請求項１−４のいずれか１つに記載の薬剤。
【請求項６】
前記Ｃ末端ポリペプチド領域はＴｒｋＢポリペプチドの配列を含み、および、
前記Ｔｒｋ融合タンパク質は、ＮＡＣＣ２−ＴｒｋＢ、ＱＫＩ−ＴｒｋＢ、ＡＦＡＰ１−ＴｒｋＢ、ＰＡＮ３−ＴｒｋＢ、ＳＱＳＴＭ１−ＴｒｋＢ、ＴＲＩＭ２４−ＴｒｋＢ、ＶＣＬ−ＴｒｋＢ、ＡＧＢＬ４−ＴｒｋＢ、またはＤＡＢ２ＩＰ−ＴｒｋＢ融合タンパク質である、請求項１−５のいずれか１つに記載の薬剤。
【請求項７】
前記Ｃ末端ポリペプチド領域はＴｒｋＣポリペプチドの配列を含み、および、
前記Ｔｒｋ融合タンパク質は、ＥＴＶ６−ＴｒｋＣ、ＢＴＢＤ１−ＴｒｋＣ、ＬＹＮ−ＴｒｋＣ、ＲＢＰＭＳ−ＴｒｋＣ、ＥＭＬ４−ＴｒｋＣ、ＨＯＭＥＲ２−ＴｒｋＣ、ＴＦＧ−ＴｒｋＣ、ＦＡＴ１−ＴｒｋＣ、またはＴＥＬ−ＴｒｋＣ融合タンパク質である、請求項１−６のいずれか１つに記載の薬剤。
【請求項８】
Ｔｒｋタンパク質を阻害する薬剤がキナーゼ阻害剤である、請求項１−７のいずれか１つに記載の薬剤。
【請求項９】
Ｔｒｋタンパク質を阻害する薬剤は、ラロトレクチニブ、ＲＸＤＸ−１０２、アルチラチニブ、ＬＯＸＯ−１９５、シトラバチニブ、カボザンチニブ、メレスチニブ、ドビチニブ、クリゾチニブ、ＴＳＲ−０１１、ＤＳ−６０５１、ＰＬＸ７４８６、レスタウルチニブ、ダヌセルチブ、Ｆ１７７５２、ＡＺＤ６９１８、ＡＺＤ７４５１、ＡＺ−２３、またはそれらの薬学的に許容可能な塩である、請求項１−８のいずれか１つに記載の薬剤。
【請求項１０】
前記Ｔｒｋタンパク質を阻害する薬剤がエヌトレクチニブまたはその薬学的に許容可能な塩である、請求項１−８のいずれか１つに記載の薬剤。
【請求項１１】
前記消化器のＮＥＴは、前腸、中腸、後腸、小腸、大腸、膵臓、虫垂、胃腸、または直腸のＮＥＴである、請求項１−１０のいずれか１つに記載の薬剤。
【請求項１２】
前記消化器のＮＥＴが二次組織に転移している、請求項１−１１のいずれか１つに記載の薬剤。
【請求項１３】
前記二次組織がリンパ節、腸間膜、卵巣、甲状腺、肝臓、骨、肺、脳、またはそれらの任意の組み合わせである、請求項１２に記載の薬剤。
【請求項１４】
前記個体が以前の化学療法処置レジメンの後で、安定的または進行性の疾患を患っている、請求項１−１３のいずれか１つに記載の薬剤。
【請求項１５】
前記Ｔｒｋ融合タンパク質はＮＴＲＫ遺伝子融合に由来し、ここで、前記ＮＴＲＫ遺伝子融合は、チロシンキナーゼシグナル伝達ドメインをコード化するＮＴＲＫ１、ＮＴＲＫ２、またはＮＴＲＫ３からの配列を含む、請求項１−１４のいずれか１つに記載の薬剤。
【手続補正書】
【提出日】令和3年8月12日(2021.8.12)
【手続補正１】
【補正対象書類名】特許請求の範囲
【補正対象項目名】全文
【補正方法】変更
【補正の内容】
【特許請求の範囲】
【請求項１】
式(Ｉ)、(ＩＩ)または(ＩＩＩ)：
【化１】
2020531469.tif 000001
［式中、
Ｒ１は、(Ｃ１−Ｃ５アルキル)Ｏ、(Ｃ１−Ｃ２アルキル)Ｏ(ＣＨ２)２−３Ｏ、(Ｃ１−Ｃ５アルキル)Ｃ(＝Ｏ)Ｏ、(Ｃ１−Ｃ５アルキル)ＮＨ、(Ｃ１−Ｃ２アルキル)Ｏ(ＣＨ２)２−３ＮＨまたは(Ｃ１−Ｃ５アルキル)Ｃ(＝Ｏ)ＮＨであり；
Ｒ２およびＲ３は、各々独立して、Ｈ、Ｃ１−Ｃ３アルキル、ハロ、Ｏ(Ｃ１−Ｃ３アルキル)、ＣＮまたはＮＯ２であり、ここで１つのＲ３は、(ＣＨ２)ｘＲ４(式中、下付き文字ｘは、１、２、３または４である)により置換されていてもよく；
Ｒ４は、Ｈ、ハロ、ＯＨ、ＣＮ、ＮＨ２、ＮＨ(Ｃ１−Ｃ５アルキル)、Ｎ(Ｃ１−Ｃ５アルキル)２、ＮＨ(Ｃ３−Ｃ６シクロアルキル)、ＮＨ(Ｃ４−Ｃ８ビシクロアルキル)、ＮＨ(Ｃ６−Ｃ１０スピロシクロアルキル)、Ｎ(Ｃ３−Ｃ６シクロアルキル)２、ＮＨ(ＣＨ２)１−３(アリール)、Ｎ((ＣＨ２)１−３(アリール))２、構造：
【化２】
2020531469.tif 000002
を有する環状アミン基、６員環の芳香族基またはヘテロ芳香族基、あるいは５員環のヘテロ芳香族基であり；
ここで、アルキル、シクロアルキル、ビシクロアルキル、スピロシクロアルキル、環状アミン、６員環の芳香族基またはヘテロ芳香族基、あるいは５員環のヘテロ芳香族基は、所望により、ＯＨ、ハロ、ＣＮ、(Ｃ１−Ｃ３アルキル)、Ｏ(Ｃ１−Ｃ３アルキル)、Ｃ(＝Ｏ)(Ｍｅ)、ＳＯ２(Ｃ１−Ｃ３アルキル)、Ｃ(＝Ｏ)(Ｅｔ)、ＮＨ２、ＮＨ(Ｍｅ)、Ｎ(Ｍｅ)２、ＮＨ(Ｅｔ)、Ｎ(Ｅｔ)２およびＮ(Ｃ１−Ｃ３アルキル)２から選択される１以上の置換基で置換されていてもよく；および
シクロアルキル、ビシクロアルキル、スピロシクロアルキルまたは環状アミン基は、Ｏ、Ｓ、ＮＨ、Ｎ(Ｃ１−Ｃ３アルキル)またはＮ(Ｂｏｃ)により置換されたＣＨ２基を有していてもよく；
Ｒ５は、各々独立して、Ｏ、ＳまたはＮＲ６であり；
Ｒ６は、ＨまたはＣ１−Ｃ３アルキルであり；
Ｘ１は、各々独立して、ＣＲ２またはＮであり；
Ｘ２は、各々独立して、ＣＲ３またはＮであり；および
Ｘ３は、Ｏ、Ｓ、ＮＨ、Ｎ(Ｃ１−Ｃ３アルキル)、Ｃ＝ＯまたはＮ(Ｃ＝Ｏ)(Ｃ１−Ｃ３アルキルである］
の構造を有する、化合物。
【請求項２】
Ｒ４が、ＯＨ、ＮＨ(ＣＨＭｅ２)、ＮＨＣＨ２Ｃ６Ｈ５、ＮＨＭｅ、ＮＨＣＨ２ＣＨ２ＯＨ、
【化３】
2020531469.tif 000003
である、請求項１記載の化合物。
【請求項３】
式(Ｉａ)：
【化４】
2020531469.tif 000004
により示される構造を有する、請求項１記載の化合物。
【請求項４】
Ｒ４が、ＯＨ、ＮＨ(ＣＨＭｅ２)、ＮＨＣＨ２Ｃ６Ｈ５、ＮＨＭｅ、ＮＨＣＨ２ＣＨ２ＯＨ、
【化５】
2020531469.tif 000005
である、請求項３記載の化合物。
【請求項５】
Ｒ１が、ｎ−ＢｕＯであり、下付き文字ｘが１である、請求項４記載の化合物。
【請求項６】
【化６】
2020531469.tif 000006
から選択される、請求項１記載の化合物。
【請求項７】
抗体にコンジュゲートされる、請求項１記載の化合物。
【請求項８】
２ｋＤａ〜４０ｋＤａの大きさのポリ(エチレングリコール)基と共有結合される、請求項１記載の化合物。
【請求項９】
請求項１に記載の化合物を含む、トル様受容体７の活性化により治療できる症状を治療するための医薬組成物。
【手続補正書】
【提出日】令和3年8月16日(2021.8.16)
【手続補正１】
【補正対象書類名】特許請求の範囲
【補正対象項目名】全文
【補正方法】変更
【補正の内容】
【特許請求の範囲】
【請求項１】
基板表面に付着した３Ｄグラフェン材料を形成する方法であって：炭素含有材料を含む炭素源を前記基板表面に直接接して、又は隣接して設けることと；前記炭素源の少なくとも一部及び／又は前記基板の少なくとも一部をレーザービームに曝露し、それにより、前記炭素源の少なくとも一部を前記基板表面に付着した３Ｄグラフェン材料に転化させることと；を含む方法。
【請求項２】
前記炭素源は、炭素含有材料を含む予め形成されたシートであり、前記炭素源の少なくとも一部の、前記基板表面に付着した前記３Ｄグラフェン材料への転化は、前記予め形成されたシートから前記基板表面に炭素を転写することと、前記基板表面に付着した３Ｄグラフェン材料を形成することと、を含む、請求項１に記載の方法。
【請求項３】
前記３Ｄグラフェン材料に転化しなかった前記炭素源の１つ又は複数の未転化部分を前記基板表面から除去することを更に含む、請求項１又は請求項２に記載の方法。
【請求項４】
前記炭素源は１種又は複数種のポリマーを含む、請求項１〜３のいずれか一項に記載の方法。
【請求項５】
前記基板は、前記レーザービームに対し実質的に透明である１種又は複数種の材料を含む、請求項１〜４のいずれか一項に記載の方法。
【請求項６】
前記基板は、前記レーザービームの入射光を、前記レーザービームの１つ又は複数の波長において６０％超を吸収する、請求項１〜５のいずれか一項に記載の方法。
【請求項７】
前記基板は、次に示すもの：シリコン、二酸化シリコン、窒化ガリウム、砒化ガリウム、酸化亜鉛の１種又は複数種を含む、請求項１〜５のいずれか一項に記載の方法。
【請求項８】
前記基板は１種又は複数種のポリマーを含む、請求項１〜５のいずれか一項に記載の方法。
【請求項９】
前記基盤はアルミニウム、銅、金、若しくは他の金属、又は前記金属の酸化物、窒化物、若しくは砒化物から選択される１種又は複数種の金属を含む、請求項１〜５のいずれか一項に記載の方法。
【請求項１０】
前記レーザービームはパルスレーザービームである、請求項１〜８のいずれか一項に記載の方法。
【請求項１１】
形成され、前記基板に付着された前記３Ｄグラフェン材料に、１種又は複数種のドーパントを導入することを更に含む、請求項１〜９のいずれか一項に記載の方法。
【請求項１２】
大気圧及び室温下に実施される、請求項１〜１０のいずれか一項に記載の方法。
【請求項１３】
基板に付着した３Ｄグラフェン材料を含む系であって、前記３Ｄグラフェン材料は、請求項１〜１１のいずれか一項に記載の方法により形成されたものである、系。
【請求項１４】
前記３Ｄグラフェン材料が酸素を３％未満の原子百分率で含み、及び／又は窒素を３％未満の原子百分率で含む、請求項１３に記載の系。
【請求項１５】
請求項１〜１２のいずれか一項に記載の方法の、１種又は複数種のデバイス部品の製造における使用。
【請求項１６】
請求項１５に記載の方法により製造され、及び／又は請求項１３又は請求項１４に記載の系が組み込まれた、デバイス部品。
【請求項１７】
酸素を１．５％未満の原子百分率で含む、３Ｄグラフェン材料。
【手続補正２】
【補正対象書類名】明細書
【補正対象項目名】０００７
【補正方法】変更
【補正の内容】
【０００７】
本発明の第１の態様は、基板表面に付着（即ち、直接的に）させた３Ｄグラフェン材料を形成する方法を提供する。この方法は：基板表面に直接接して、又は隣接して、炭素含有材料を含む炭素源を設けることと；炭素源の少なくとも一部及び／又は基板の少なくとも一部をレーザービームに曝露し、それにより、炭素源の少なくとも一部を基板表面に付着（即ち、直接的に）した３Ｄグラフェン材料に転化させることと；を含む。炭素源の少なくとも一部を基板表面に付着した３Ｄグラフェン材料に転化させるステップは、典型的には、並行して（即ち、同時に）、炭素を炭素源から基板表面に転写することと、３Ｄグラフェン材料を形成することと、３Ｄグラフェン材料を基板表面に付着させることと、を含む。
【手続補正書】
【提出日】令和3年7月20日(2021.7.20)
【手続補正１】
【補正対象書類名】特許請求の範囲
【補正対象項目名】全文
【補正方法】変更
【補正の内容】
【特許請求の範囲】
【請求項１】
融合分子であって、サイトカインまたはその一部と、融合分子をホスファチジルセリン（ＰＳ）に対して標的化するポリペプチドとを含む、前記融合分子。
【請求項２】
ポリペプチドが、Ｔｙｒｏ３、ＡｘｌおよびＭｅｒ（ＴＡＭ）受容体のＰＳ結合リガンドを含む、請求項１に記載の融合分子。
【請求項３】
ポリペプチドが、成長停止特異的遺伝子６（ＧＡＳ６）またはタンパク質Ｓ（Ｐｒｏｓ１）のＰＳ結合型ドメインを含む、請求項１または請求項２に記載の融合分子。
【請求項４】
ポリペプチドが、Ｇａｓ６のＮ末端Ｇｌａドメインを含む、請求項１〜３のいずれか一項に記載の融合分子。
【請求項５】
ポリペプチドが、ＰＳとの結合においてＰＳ結合ドメインのオリゴマー化を促進するドメインをさらに含む、請求項４に記載の融合分子。
【請求項６】
表皮増殖因子（ＥＧＦ）様ドメインをさらに含む、請求項４に記載の融合分子。
【請求項７】
サイトカインまたはその一部が、免疫刺激性サイトカインまたはその一部である、請求項１〜６のいずれか一項に記載の融合分子。
【請求項８】
免疫刺激性サイトカインまたはその一部が、インターフェロンまたはその一部であり、ここで任意に、インターフェロンが、インターフェロン−α、インターフェロン−β、インターフェロン−λ１、インターフェロン−λ２、インターフェロン−λ３、またはそれらの組み合わせもしくは一部から選択される、請求項７に記載の融合分子。
【請求項９】
サイトカインまたはその一部が、免疫抑制性サイトカインまたはその一部である、請求項１〜７のいずれか一項に記載の融合分子。
【請求項１０】
サイトカインまたはその一部と、ＰＳに対して融合分子を標的化するポリペプチドとの間にリンカーをさらに含む、請求項１〜９のいずれか一項に記載の融合分子。
【請求項１１】
請求項１〜１０のいずれか一項に記載の融合分子および薬学的に許容し得る担体を含む、医薬組成物。
【請求項１２】
対象の病変部位に対してサイトカインまたはその一部を標的化するための、請求項１１に記載の医薬組成物。
【請求項１３】
病変部位が、ＰＳリッチ領域である、および／または、癌、感染または炎症を含む、請求項１２に記載の医薬組成物。
【請求項１４】
サイトカインまたはその一部が、免疫刺激性サイトカインまたはその一部である、請求項１２または１３に記載の医薬組成物。
【請求項１５】
対象の病変部位において、内因性ＰＳリガンドおよび受容体によるＰＳ認識から生じる免疫抑制が阻害されている；および／または
１種以上のサイトカイン特異的な生物学的活性が、病変部位において活性化されている；および／または
サイトカインまたはその一部の全身作用が最小化されている、
請求項１２〜１４のいずれか一項に記載の医薬組成物。
【請求項１６】
サイトカイン処置に対して応答性である疾患、障害または症状を処置するための、請求項１１〜１５のいずれか一項に記載の医薬組成物。
【請求項１７】
サイトカイン処置に対して応答性である疾患、障害または症状が、癌、感染または炎症性症状もしくは疾患である、請求項１６に記載の医薬組成物。
【手続補正書】
【提出日】令和3年8月16日(2021.8.16)
【手続補正１】
【補正対象書類名】特許請求の範囲
【補正対象項目名】全文
【補正方法】変更
【補正の内容】
【特許請求の範囲】
【請求項１】
タンパク質であって、
（ａ）ＮＫＧ２Ｄに結合する第１の抗原結合部位；
（ｂ）ＨＬＡ−Ｅに結合する第２の抗原結合部位；および
（ｃ）抗体ＦｃドメインもしくはＣＤ１６に結合するのに十分なその一部またはＣＤ１６に結合する第３の抗原結合部位
を含む、タンパク質。
【請求項２】
前記第１の抗原結合部位がヒトおよびカニクイザルのＮＫＧ２Ｄに結合する、請求項１に記載のタンパク質。
【請求項３】
前記第１の抗原結合部位が、同一のポリペプチド上に存在する重鎖可変ドメインおよび軽鎖可変ドメインを含む、請求項１または２に記載のタンパク質。
【請求項４】
前記第２の抗原結合部位が、同一のポリペプチド上に存在する重鎖可変ドメインおよび軽鎖可変ドメインを含む、請求項３に記載のタンパク質。
【請求項５】
前記第１の抗原結合部位の前記軽鎖可変ドメインが、前記第２の抗原結合部位の前記軽鎖可変ドメインのアミノ酸配列と同一のアミノ酸配列を有する、請求項４に記載のタンパク質。
【請求項６】
前記第１の抗原結合部位が、配列番号１、配列番号４１、配列番号４９、配列番号５７、および配列番号５９から選択されるアミノ酸配列と少なくとも９０％同一の重鎖可変ドメインアミノ酸配列を含む、請求項１〜５のいずれか１項に記載のタンパク質。
【請求項７】
前記第１の抗原結合部位が、
（ａ）配列番号４１と少なくとも９０％同一の重鎖可変ドメインアミノ酸配列および配列番号４２と少なくとも９０％同一の軽鎖可変ドメインアミノ酸配列、
（ｂ）配列番号４９と少なくとも９０％同一の重鎖可変ドメインアミノ酸配列および配列番号５０と少なくとも９０％同一の軽鎖可変ドメインアミノ酸配列、
（ｃ）配列番号５７と少なくとも９０％同一の重鎖可変ドメインアミノ酸配列および配列番号５８と少なくとも９０％同一の軽鎖可変ドメインアミノ酸配列、
（ｄ）配列番号５９と少なくとも９０％同一の重鎖可変ドメインアミノ酸配列および配列番号６０と少なくとも９０％同一の軽鎖可変ドメインアミノ酸配列、
（ｅ）配列番号１０１と少なくとも９０％同一の重鎖可変ドメインアミノ酸配列および配列番号１０２と少なくとも９０％同一の軽鎖可変ドメインアミノ酸配列、または
（ｆ）配列番号１０３と少なくとも９０％同一の重鎖可変ドメインアミノ酸配列および配列番号１０４と少なくとも９０％同一の軽鎖可変ドメインアミノ酸配列
を含む、請求項１〜６のいずれか１項に記載のタンパク質。
【請求項８】
前記第１の抗原結合部位が、
（ａ）配列番号１０５のアミノ酸配列と同一の重鎖ＣＤＲ１配列、配列番号１０６のアミノ酸配列と同一の重鎖ＣＤＲ２配列、配列番号１０７のアミノ酸配列と同一の重鎖ＣＤＲ３配列、
（ｂ）配列番号４３のアミノ酸配列と同一の重鎖ＣＤＲ１配列、配列番号４４のアミノ酸配列と同一の重鎖ＣＤＲ２配列、配列番号４５のアミノ酸配列と同一の重鎖ＣＤＲ３配列、配列番号４６のアミノ酸配列と同一の軽鎖ＣＤＲ１配列、配列番号４７のアミノ酸配列と同一の軽鎖ＣＤＲ２配列、配列番号４８のアミノ酸配列と同一の軽鎖ＣＤＲ３配列、
（ｃ）配列番号５１のアミノ酸配列と同一の重鎖ＣＤＲ１配列、配列番号５２のアミノ酸配列と同一の重鎖ＣＤＲ２配列、配列番号５３のアミノ酸配列と同一の重鎖ＣＤＲ３配列、配列番号５４のアミノ酸配列と同一の軽鎖ＣＤＲ１配列、配列番号５５のアミノ酸配列と同一の軽鎖ＣＤＲ２配列、配列番号５６のアミノ酸配列と同一の軽鎖ＣＤＲ３配列、または
（ｄ）配列番号１３４のアミノ酸配列と同一の重鎖ＣＤＲ１配列、配列番号１３５のアミノ酸配列と同一の重鎖ＣＤＲ２配列、配列番号１３６のアミノ酸配列と同一の重鎖ＣＤＲ３配列、配列番号１３７のアミノ酸配列と同一の軽鎖ＣＤＲ１配列、配列番号１３８のアミノ酸配列と同一の軽鎖ＣＤＲ２配列、配列番号１３９のアミノ酸配列と同一の軽鎖ＣＤＲ３配列、
を含む、請求項１〜６のいずれか１項に記載のタンパク質。
【請求項９】
前記第１の抗原結合部位または第２の抗原結合部位が単一ドメイン抗体を含む、請求項１または２に記載のタンパク質。
【請求項１０】
前記第１の抗原結合部位の前記単一ドメイン抗体が、ＶＨＨ断片またはＶＮＡＲ断片を含む、請求項９に記載のタンパク質。
【請求項１１】
前記第２の抗原結合部位が、同一のポリペプチド上に存在する重鎖可変ドメインおよび軽鎖可変ドメインを含む、請求項１〜２、９、または１０のいずれか１項に記載のタンパク質。
【請求項１２】
前記第２の抗原結合部位の前記単一ドメイン抗体が、ＶＨＨ断片またはＶＮＡＲ断片を含む、請求項９に記載のタンパク質。
【請求項１３】
前記第２の抗原結合部位が、配列番号１６６に結合する、請求項１〜１２のいずれか一項に記載のタンパク質。
【請求項１４】
前記抗体Ｆｃドメインが、
（a）ヒンジおよびＣＨ２ドメイン、または
（ｂ）ヒトＩｇＧ１抗体のヒンジおよびＣＨ２ドメイン、
（ｃ）ヒトＩｇＧ１抗体のアミノ酸２３４〜３３２と少なくとも９０％同一のアミノ酸配列、または
（ｄ）ヒトＩｇＧ１のＦｃドメインと少なくとも９０％同一、ヒトＩｇＧ１抗体のアミノ酸２３４〜３３２と少なくとも９０％同一であるアミノ酸配列であって、Ｑ３４７、Ｙ３４９、Ｌ３５１、Ｓ３５４、Ｅ３５６、Ｅ３５７、Ｋ３６０、Ｑ３６２、Ｓ３６４、Ｔ３６６、Ｌ３６８、Ｋ３７０、Ｎ３９０、Ｋ３９２、Ｔ３９４、Ｄ３９９、Ｓ４００、Ｄ４０１、Ｆ４０５、Ｙ４０７、Ｋ４０９、Ｔ４１１、およびＫ４３９からなる群から選択される１またはそれを超える位置で異なる、アミノ酸配列
を含む、請求項１〜１３のいずれか１項に記載のタンパク質。
【請求項１５】
前記タンパク質が、１０ｎＭのＫＤまたはそれより弱い親和性でＮＫＧ２Ｄに結合する、請求項１〜１４のいずれか１項に記載のタンパク質。
【請求項１６】
請求項１〜１５のいずれか１項に記載のタンパク質および薬学的に許容され得る担体を含む製剤。
【請求項１７】
請求項１〜１５のいずれか１項に記載のタンパク質をコードする１またはそれを超える核酸を含む細胞。
【請求項１８】
療法において使用するための、請求項１〜１５のいずれか１項に記載のタンパク質を含む組成物、または請求項１６に記載の製剤。
【請求項１９】
腫瘍細胞死を増強する方法において使用するための請求項１〜１５のいずれか１項に記載のタンパク質を含む組成物、または請求項１６に記載の製剤であって、前記方法が前記腫瘍細胞およびナチュラルキラー細胞を、有効量の前記組成物または製剤に曝露することを含み、ここで、前記腫瘍細胞が、ＨＬＡ−Ｅを発現する、組成物または製剤。
【請求項２０】
がんを処置する方法において使用するための請求項１〜１５のいずれか１項に記載のタンパク質を含む組成物、または請求項１６に記載の製剤。
【請求項２１】
前記がんが、リンパ腫、頭頸部がん、膀胱がん、子宮頸がん、肺がん、腎がん、黒色腫、結腸直腸がん、卵巣がん、膠芽細胞腫、および肉腫からなる群から選択される、請求項２０に記載の組成物または製剤。
【手続補正書】
【提出日】令和3年7月30日(2021.7.30)
【手続補正１】
【補正対象書類名】特許請求の範囲
【補正対象項目名】全文
【補正方法】変更
【補正の内容】
【特許請求の範囲】
【請求項１】
フィコシアニンを含有する溶液からのフィコシアニンの精製方法であって、
前記溶液と、ポリエチレングリコール（ＰＥＧ）含有相および炭水化物含有相を含む水性２相混合物とを接触させる工程と、
前記炭水化物含有相を前記ＰＥＧ含有相から分離する工程と、
前記炭水化物含有相を硫酸アンモニウムで処理することにより、前記フィコシアニンが沈殿している沈殿溶液を得る工程と、
前記沈殿したフィコシアニンを回収する工程とを含み、
前記炭水化物含有相は、マルトデキストリン、フィコール、デキストラン、デンプン、グルコース、フルクトース、ガラクトース、マンノース、スクロース、セロビオース、ラクトース、ラクツロース、マルトース、マルツロース、アラビノース、リボース、キシロース、およびトレハロースからなる群より選択される炭水化物を含む、方法。
【請求項２】
前記沈殿溶液の硫酸アンモニウム濃度は１４〜３６重量％である、請求項１に記載の方法。
【請求項３】
前記沈殿したフィコシアニンを溶解して溶液とする工程と、前記溶液を硫酸アンモニウムで処理することにより、前記フィコシアニンが再沈殿している第２の沈殿溶液を得る工程と、前記再沈殿したフィコシアニンを回収する工程とをさらに含む、請求項１または２に記載の方法。
【請求項４】
前記第２の沈殿溶液の硫酸アンモニウム濃度は２５〜３４重量％である、請求項３に記載の方法。
【請求項５】
前記再沈殿したフィコシアニンを再溶解して溶液とする工程と、前記溶液を硫酸アンモニウムで処理することにより、前記フィコシアニンが再沈殿している第３の沈殿溶液を得る工程と、前記再沈殿したフィコシアニンを回収する工程とをさらに含む、請求項３または４に記載の方法。
【請求項６】
前記第３の沈殿溶液の硫酸アンモニウム濃度は１６〜２８重量％である、請求項５に記載の方法。
【請求項７】
前記ＰＥＧは平均分子量が少なくとも６０００ｇ／ｍｏｌであり、より具体的には前記ＰＥＧは平均分子量が少なくとも１０，０００ｇ／ｍｏｌである、請求項１〜６のいずれか１項に記載の方法。
【請求項８】
前記ＰＥＧは前記ＰＥＧ含有水性相中に約３〜１５重量％の濃度で存在する、請求項１〜７のいずれか１項に記載の方法。
【請求項９】
前記炭水化物は前記炭水化物含有相中に約１５〜４０重量％の濃度で存在する、請求項１〜８のいずれか１項に記載の方法。
【請求項１０】
前記２相混合物は、全体として、前記炭水化物含有相を１５〜４０重量％、前記ＰＥＧ含有相を３〜１５重量％、および前記フィコシアニンを含有する溶液を４５〜８２重量％
含む、請求項１〜９のいずれか１項に記載の方法。
【請求項１１】
前記フィコシアニンを含有する溶液は細胞抽出物である、請求項１〜１０のいずれか１項に記載の方法。
【請求項１２】
前記細胞抽出物は湿潤バイオマスから調製される、請求項１１に記載の方法。
【請求項１３】
前記細胞抽出物は乾燥バイオマスから調製される、請求項１１に記載の方法。
【請求項１４】
前記バイオマスは植物、藻類、シアノバクテリア、細菌、または真菌から得られ、より具体的には前記バイオマスはスピルリナから得られる、請求項１２または１３に記載の方法。
【請求項１５】
前記フィコシアニンはＣ−フィコシアニンである、請求項１〜１４のいずれか１項に記載の方法。
【手続補正書】
【提出日】令和3年8月13日(2021.8.13)
【手続補正１】
【補正対象書類名】特許請求の範囲
【補正対象項目名】全文
【補正方法】変更
【補正の内容】
【特許請求の範囲】
【請求項１】
ａ．配列番号１の重鎖配列及び配列番号２の軽鎖配列；
ｂ．配列番号３の重鎖配列及び配列番号４の軽鎖配列；
ｃ．配列番号５の重鎖配列及び配列番号６の軽鎖配列；
ｄ．配列番号７の重鎖配列及び配列番号８の軽鎖配列；
ｅ．配列番号９の重鎖配列及び配列番号１０の軽鎖配列；
ｆ．配列番号１１の重鎖配列及び配列番号１２の軽鎖配列；
ｇ．配列番号１３の重鎖配列及び配列番号１４の軽鎖配列；
ｈ．配列番号１５の重鎖配列及び配列番号１６の軽鎖配列；
ｉ．配列番号１７の重鎖配列及び配列番号１８の軽鎖配列；
ｊ．配列番号１９の重鎖配列及び配列番号２０の軽鎖配列；
ｋ．配列番号２１の重鎖配列及び配列番号２２の軽鎖配列；
ｌ．配列番号２３の重鎖配列及び配列番号２４の軽鎖配列；
ｍ．配列番号２５の重鎖配列及び配列番号２６の軽鎖配列；
ｎ．配列番号２７の重鎖配列及び配列番号２８の軽鎖配列；
ｏ．配列番号２９の重鎖配列及び配列番号３０の軽鎖配列；
ｐ．配列番号３１の重鎖配列及び配列番号３２の軽鎖配列；
ｑ．配列番号３３の重鎖配列及び配列番号３４の軽鎖配列；
ｒ．配列番号３５の重鎖配列及び配列番号３６の軽鎖配列；
ｓ．配列番号３７の重鎖配列及び配列番号３８の軽鎖配列；若しくは
ｔ．配列番号３９の重鎖配列及び配列番号４０の軽鎖配列
から選択される重鎖配列及び軽鎖配列又は上記に少なくとも９５％若しくは少なくとも９８％配列同一性を有する重鎖配列及び軽鎖配列の相補性決定領域（ＣＤＲ）を含む、ニコチン結合抗体又はそのニコチン結合断片。
【請求項２】
ａ．配列番号１の重鎖配列及び配列番号２の軽鎖配列；
ｂ．配列番号３の重鎖配列及び配列番号４の軽鎖配列；
ｃ．配列番号５の重鎖配列及び配列番号６の軽鎖配列；
ｄ．配列番号７の重鎖配列及び配列番号８の軽鎖配列；
ｅ．配列番号９の重鎖配列及び配列番号１０の軽鎖配列；
ｆ．配列番号１１の重鎖配列及び配列番号１２の軽鎖配列；
ｇ．配列番号１３の重鎖配列及び配列番号１４の軽鎖配列；
ｈ．配列番号１５の重鎖配列及び配列番号１６の軽鎖配列；
ｉ．配列番号１７の重鎖配列及び配列番号１８の軽鎖配列；
ｊ．配列番号１９の重鎖配列及び配列番号２０の軽鎖配列；
ｋ．配列番号２１の重鎖配列及び配列番号２２の軽鎖配列；
ｌ．配列番号２３の重鎖配列及び配列番号２４の軽鎖配列；
ｍ．配列番号２５の重鎖配列及び配列番号２６の軽鎖配列；
ｎ．配列番号２７の重鎖配列及び配列番号２８の軽鎖配列；
ｏ．配列番号２９の重鎖配列及び配列番号３０の軽鎖配列；
ｐ．配列番号３１の重鎖配列及び配列番号３２の軽鎖配列；
ｑ．配列番号３３の重鎖配列及び配列番号３４の軽鎖配列；
ｒ．配列番号３５の重鎖配列及び配列番号３６の軽鎖配列；
ｓ．配列番号３７の重鎖配列及び配列番号３８の軽鎖配列；若しくは
ｔ．配列番号３９の重鎖配列及び配列番号４０の軽鎖配列
から選択される重鎖配列及び軽鎖配列又は上記に少なくとも９５％若しくは少なくとも９８％配列同一性を有する重鎖配列及び軽鎖配列の可変領域をさらに含む、請求項１に記載のニコチン結合抗体又はそのニコチン結合断片。
【請求項３】
ａ．配列番号１の重鎖配列及び配列番号２の軽鎖配列；
ｂ．配列番号３の重鎖配列及び配列番号４の軽鎖配列；
ｃ．配列番号５の重鎖配列及び配列番号６の軽鎖配列；
ｄ．配列番号７の重鎖配列及び配列番号８の軽鎖配列；
ｅ．配列番号９の重鎖配列及び配列番号１０の軽鎖配列；
ｆ．配列番号１１の重鎖配列及び配列番号１２の軽鎖配列；
ｇ．配列番号１３の重鎖配列及び配列番号１４の軽鎖配列；
ｈ．配列番号１５の重鎖配列及び配列番号１６の軽鎖配列；
ｉ．配列番号１７の重鎖配列及び配列番号１８の軽鎖配列；
ｊ．配列番号１９の重鎖配列及び配列番号２０の軽鎖配列；
ｋ．配列番号２１の重鎖配列及び配列番号２２の軽鎖配列；
ｌ．配列番号２３の重鎖配列及び配列番号２４の軽鎖配列；
ｍ．配列番号２５の重鎖配列及び配列番号２６の軽鎖配列；
ｎ．配列番号２７の重鎖配列及び配列番号２８の軽鎖配列；
ｏ．配列番号２９の重鎖配列及び配列番号３０の軽鎖配列；
ｐ．配列番号３１の重鎖配列及び配列番号３２の軽鎖配列；
ｑ．配列番号３３の重鎖配列及び配列番号３４の軽鎖配列；
ｒ．配列番号３５の重鎖配列及び配列番号３６の軽鎖配列；
ｓ．配列番号３７の重鎖配列及び配列番号３８の軽鎖配列；若しくは
ｔ．配列番号３９の重鎖配列及び配列番号４０の軽鎖配列
の重鎖配列及び軽鎖配列又は上記に少なくとも９５％若しくは少なくとも９８％配列同一性を有する重鎖配列及び軽鎖配列を含む、請求項１又は２に記載のニコチン結合抗体又はそのニコチン結合断片。
【請求項４】
（ａ）配列番号２７の重鎖配列の可変領域及び配列番号２８の軽鎖配列の可変領域、又は
（ｂ）配列番号２７又は配列番号１の重鎖配列に少なくとも９５％又は少なくとも９８％の配列同一性を有する重鎖配列、及び配列番号２８又は配列番号２の軽鎖配列に少なくとも９５％又は少なくとも９８％の配列同一性を有する軽鎖配列
を含む、請求項１に記載のニコチン結合抗体又はそのニコチン結合断片。
【請求項５】
（ａ）配列番号１の重鎖配列及び配列番号２の軽鎖配列、又は
（ｂ）配列番号２７の重鎖配列及び配列番号２８の軽鎖配列
を含む、請求項１に記載のニコチン結合抗体又はそのニコチン結合断片。
【請求項６】
配列番号２７の２つの重鎖及び配列番号２８の２つの軽鎖を含む、請求項１に記載のニコチン結合抗体。
【請求項７】
ＩｇＧ４である、請求項１〜６のいずれか一項に記載のニコチン結合抗体又はそのニコチン結合断片。
【請求項８】
置換Ｓ２２８Ｐを含む、請求項１〜７のいずれか一項記載のニコチン結合抗体又はそのニコチン結合断片。
【請求項９】
長時間作用型変異体である、請求項１〜８のいずれか一項に記載のニコチン結合抗体又はそのニコチン結合断片。
【請求項１０】
ＰＥＧ化されている、請求項９に記載のニコチン結合抗体又はそのニコチン結合断片。
【請求項１１】
請求項１〜１０のいずれか一項に記載のニコチン結合抗体又はそのニコチン結合断片と、薬学的に許容される担体とを含み、任意選択的に注射又は注入用に製剤化された医薬組成物。
【請求項１２】
ヒト対象におけるニコチン嗜癖の処置又は禁煙の促進のための、請求項１１に記載の医薬組成物。
【請求項１３】
ニコチン結合抗体又はそのニコチン結合断片が、ニコチン離脱の少なくとも１つの症状を低減、改善又は除去するのに効果的である、請求項１２に記載の医薬組成物。
【請求項１４】
哺乳動物対象におけるニコチン過剰摂取又はニコチン中毒の治療のための、請求項１１に記載の医薬組成物。
【請求項１５】
哺乳動物対象がヒトであり、任意選択的にヒトがヒトの子供である、請求項１４に記載の医薬組成物。
【請求項１６】
ニコチンの血漿レベルを減少及び／又は脳に局在するニコチンレベルを減少するのに効果的な量が投与される、請求項１１〜１５のいずれか一項に記載の医薬組成物。
【請求項１７】
静脈、皮下、筋肉内、腹腔内、経口、経鼻、経肺、眼内、経膣、又は経直腸からなる群から選択される投与ルートにより投与される、請求項１１〜１６のいずれか一項に記載の医薬組成物。